(57)【要約】【課題】  清掃具の取付部に挿着される清掃シートの係止孔を極力伸ばさずに取付部の突起に係止させて安定確実に保持すること。【解決手段】  清掃具１であって、清掃シート５００を取付部４０１の先端側から挿着するに際し、取付部４０１の基端側に清掃シート５００の一端部に設けた係止孔５０４を挿入させて保持する保持用突起４０４を設けてなり、保持用突起４０４が取付部４０１に突起軸部４０４Ｂを介してつながる頭部４０４Ａを有し、頭部４０４Ａは平面視で清掃シート５００の挿着方向に該清掃シート５００の係止孔５０４より長い縦長形状をなし、シート挿入側下面に取付部４０１の先端側に向けて上向きをなすテーパ面４０４Ｃを設け、清掃シート５００の係止孔５０４が頭部４０４Ａを通過して突起軸部４０４Ｂに係止するもの。【選択図】  図７
2008272245.tif 000002
【特許請求の範囲】
【請求項１】
清掃シートを取付部の先端側から挿着するに際し、取付部の基端側に清掃シートの一端部に設けた係止孔を挿入させて保持する保持用突起を設けてなり、
保持用突起が取付部に突起軸部を介してつながる頭部を有し、頭部は平面視で清掃シートの挿着方向に該清掃シートの係止孔より長い縦長形状をなし、清掃シートの係止孔が頭部を通過して突起軸部に係止する清掃具であって、
保持用突起の頭部における清掃シートの挿着方向に沿う縦方向長さの中央部が、突起軸部よりも取付部の先端側にある清掃具。
【請求項２】
前記保持用突起が、頭部のシート挿入側下面に取付部の先端側に向けて上向きをなすテーパ面を設けてなる請求項１に記載の清掃具。
【請求項３】
前記清掃シートの係止孔が通過する頭部の最大周長を、該係止孔の周長と同程度以下とする請求項１に記載の清掃具。
【発明の詳細な説明】
【技術分野】
【０００１】
本発明は清掃具に関する。
【背景技術】
【０００２】
清掃具の取付部に被着した清掃シートを該取付部に保持するに際し、取付部に設けた突起に清掃シートのスリットや環状ひもを係止するものとして、特許文献１〜３に記載のものがある。
【０００３】
特許文献１に記載の突起は、軸部の上に軸部より大きな頭部を設け、頭部が軸部を中心とする概ね半球状又は球形状をなすものである。
【０００４】
特許文献２に記載の突起は、頭部が清掃シートを挿入する側とは反対側（係止状態で環状のひもの延在方向と反対側）に大きく張り出す断面長円形状をなすものである。
【０００５】
特許文献３に記載の突起は、清掃シートの切れ込みに引っ掛ける頭部が断面長円形状をなすものであるが、その長軸方向が清掃シートを引っ掛ける方向と直交するものである。
【特許文献１】実開昭52-8959
【特許文献２】実開昭60-33902
【特許文献３】特開平9-327427
【発明の開示】
【発明が解決しようとする課題】
【０００６】
特許文献１〜３に記載の清掃具では、清掃シートのスリットや環状のひもを清掃具の取付部に設けた突起に外れないように係止するためには、それらのスリットや環状のひもを突起に対して引っ掛ける方向に大きく引っ張る必要がある。
【０００７】
しかしながら、不織布等からなるある種の清掃シートにおいて、清掃シートに設けた係止孔を清掃具の取付部に設けた突起に係止するとき、その係止孔を引っ張ると伸びたままになり、突起から外れ易くなる。
【０００８】
本発明の課題は、清掃具の取付部に挿着される清掃シートの係止孔を極力伸ばさずに取付部の突起に係止させて安定確実に保持することにある。
【課題を解決するための手段】
【０００９】
請求項１の発明は、清掃シートを取付部の先端側から挿着するに際し、取付部の基端側に清掃シートの一端部に設けた係止孔を挿入させて保持する保持用突起を設けてなり、保持用突起が取付部に突起軸部を介してつながる頭部を有し、頭部は平面視で清掃シートの挿着方向に該清掃シートの係止孔より長い縦長形状をなし、清掃シートの係止孔が頭部を通過して突起軸部に係止する清掃具であって、保持用突起の頭部における清掃シートの挿着方向に沿う縦方向長さの中央部が、突起軸部よりも取付部の先端側にあるようにしたものである。
【００１０】
請求項２の発明は、請求項１の発明において更に、前記保持用突起が、頭部のシート挿入側下面に取付部の先端側に向けて上向きをなすテーパ面を設けてなるようにしたものである。
【００１１】
請求項３の発明は、請求項１の発明において更に、前記清掃シートの係止孔が通過する頭部の最大周長を、該係止孔の周長と同程度以下とするようにしたものである。
【発明の効果】
【００１２】
（請求項１）
(a)清掃具において、保持用突起が取付部に突起軸部を介してつながる頭部を有し、頭部は平面視で清掃シートの挿着方向に該清掃シートの係止孔より長い縦長形状をなし、清掃シートの係止孔が頭部を通過して突起軸部に係止する。従って、清掃シートの挿着方向に長い縦長形状の頭部が、清掃シートの係止孔を突起軸部に向けてスムースにガイドする。また、平面視で清掃シートの挿着方向に長い縦長形状の頭部が、突起軸部に係止した係止孔を該係止孔より長い範囲に渡って上から押さえて外れにくくする。
【００１３】
(b)保持用突起が、頭部における清掃シートの挿着方向に沿う縦方向長さの中央部を突起軸部よりも、取付部の先端側にずらした。従って、突起軸部から取付部の先端側に張り出した頭部が突起軸部に係止した清掃シートの係止孔より先端側を確実に押さえて外れにくくする。
【００１４】
（請求項２）
(c)保持用突起が、頭部のシート挿入側下面に取付部の先端側に向けて上向きをなすテーパ面を設けてなるものとしたから、清掃シートの係止孔を突起軸部に向けてスムースにガイドできる。
【００１５】
（請求項３）
(d)清掃シートの係止孔が通過する頭部の最大周長を、該係止孔の周長と同程度以下にすることにより、頭部の各部のいずれにおいても清掃シートの係止孔を突起軸部に向けてスムースにガイドする。
【発明を実施するための最良の形態】
【００１６】
図１は清掃具を示す斜視図、図２は清掃シートの挿着状態を示す斜視図、図３は清掃具のヘッドジョイントを示し、（Ａ）は全体図、（Ｂ）は拡大図、図４はヘッドジョイントの組立過程を示す斜視図、図５はヘッドジョイントの組立過程を示す断面図、図６は清掃シートのシート保持用突起を示す平面図、図７は清掃シートのシート保持用突起への挿入過程を示す断面図、図８は清掃ヘッドの取付プレートに設けた滑り止め部を示す裏面図、図９は取付プレートの滑り止め部を拡大して示す裏面図、図１０は取付プレートの滑り止め部を拡大して示す断面図、図１１は取付プレートの滑り止め部に対する清掃シートの引掛かり状態を示す模式図、図１２は清掃具を示す斜視図、図１３は清掃ヘッドを示す斜視図、図１４は清掃シートの挿着状態を示す斜視図である。
【実施例】
【００１７】
清掃具１は、図１、図２に示す如く、棒状具１００の最先端部に角度調節アーム２００の基端部を連結し、角度調節アーム２００の先端部にヘッドジョイント３００を介して清掃ヘッド４００を連結し、清掃ヘッド４００の取付プレート４０１に清掃シート５００を着脱して使用に供される。
【００１８】
棒状具１００は複数の軸１０〜４０を伸縮自在に連結したものであり、図１、図２は最収縮状態を示す。第１軸１０は清掃具１において使用者により把持される柄１１を構成する。
【００１９】
角度調節アーム２００は、棒状具１００に連結してある清掃ヘッド４００の取付角度を調節して使用できる。
【００２０】
ヘッドジョイント３００は、角度調節アーム２００の先端部に清掃ヘッド４００を連結する。ヘッドジョイント３００は、図３〜図５に示す如く、ステンレス鋼板ばね３０１からなる。板ばね３０１の基端部は角度調節アーム２００の先端側裏面に設けてあるコの字断面状取付溝２０８に差し込まれ、止ねじ３０２が板ばね３０１のばか孔３０１Ａに挿通されてアーム２００のねじ孔２０９に螺着されることにより、板ばね３０１の基端部がアーム２００の取付溝２０８に固定される。板ばね３０１の先端部は清掃ヘッド４００の取付プレート４０１の後端部に設けてある取付スリット４０２に差し込まれ、板ばね３０１の先端部を取付プレート４０１の後端側上面に設けてある取付凸部４０３の上端の前上り勾配面４０３Ａに滑らせ、板ばね３０１の先端側取付孔３０１Ｂを取付凸部４０３に係着させる。これにより、清掃ヘッド４００は、ヘッドジョイント３００によりしなやかに曲がり、取付プレート４０１の根元までの全面を清掃面に押付けできる。清掃ヘッド４００が上下方向に曲がるので、棒状具１００に対する清掃ヘッド４００の交差角度を微妙に手元調節しなくても、取付プレート４０１を清掃面に追従させることができる。
【００２１】
清掃ヘッド４００は、取付プレート４０１を清掃シート５００のための取付部とし、取付プレート４０１の先端側（取付プレート４０１の棒状具１００の柄１１に近い側を基端側、その反対側を先端側という）から清掃シート５００を挿着するに際し、取付プレート４０１の基端側を広幅部４０１Ａ、先端側を狭幅部４０１Ｂ、広幅部４０１Ａと狭幅部４０１Ｂの境界に左右の段差状係止部４０１Ｃを設ける。本実施例では広幅部４０１Ａを狭幅部４０１Ｂより清掃シート５００の挿着方向に長くしてある。
【００２２】
清掃ヘッド４００は、取付プレート４０１の基端側、本実施例では広幅部４０１Ａの上面の根元側に、清掃シート５００の一端部を保持するシート保持用突起４０４（保持部）を設け、取付プレート４０１の先端側、本実施例では狭幅部４０１Ｂの下面（上面にも設けることも可）に、清掃シート５００の袋状をなす内面に摩擦接触する滑り止め部４０５を設けている。
【００２３】
清掃シート５００は、例えばベース不織布５０１Ａと、ベース不織布５０１Ａの表面の繊維５０１Ｂとからなる。清掃シート５００は、取付プレート４０１に被着できるように２枚のベース不織布５０１Ａを重ね合せ、それらの左右両側に線シール状又は列状に並んだ点シール状のシール部５０２を延在させ、両側シール部５０２の少なくとも一端側において２枚のベース不織布５０１Ａの間に開口部を形成し、この開口部から取付プレート４０１を挿着可能にする。本実施例において、２枚のベース不織布５０１Ａは、両側シール部５０２の一端側と他端側のそれぞれに開口部を形成し、取付プレート４０１が挿着される方向の延長線上に貫通する筒状をなす。ベース不織布５０１Ａは、長手方向の中間部の左右両側には取付プレート４０１における広巾部４０１Ａと狭巾部４０１Ｂの境界に設けられる左右の段差状の係止部４０１Ｃに引掛かる点シール５０３を備える。
【００２４】
清掃シート５００は、筒状をなすベース不織布５０１Ａの長手方向において開口部に近い少なくとも一端部（本実施例では両端部のそれぞれ）に、取付プレート４０１のシート保持用突起４０４に係止される係止孔５０４を備える。係止孔５０４はベース不織布５０１Ａの開口部近傍であって左右両側シール部５０２の中央に設けることが好ましい。
【００２５】
清掃シート５００の筒状のベース不織布５０１Ａを清掃ヘッド４００の取付プレート４０１に挿着し、両側の点シール５０３を取付プレート４０１の左右の係止部４０１Ｃに引掛け、係止孔５０４を取付プレート４０１のシート保持用突起４０４に係止して用いる。このとき、清掃ヘッド４００のシート保持用突起４０４は、図６、図７に示す如く、取付プレート４０１の広幅部４０１Ａの上面の根元側に突起軸部４０４Ｂを介してつながる頭部４０４Ａを有し、頭部４０４Ａは平面視で清掃シート５００の挿着方向に該清掃シート５００の係止孔５０４より長い縦長形状をなし（頭部４０４Ａの縦長形状の長軸中心線は取付プレート４０１の清掃シート５００が挿着される方向に沿い、頭部４０４Ａは清掃シート５００が挿着される方向を中心線として左右対称をなす）、シート挿入側下面にテーパ面４０４Ｃを設け、清掃シート５００の係止孔５０４が頭部４０４Ａを通過して突起軸部４０４Ｂに係止するようにし、清掃シート５００の係止孔５０４が挿入し易く、また外れにくくしている。また、シート保持用突起４０４は、頭部４０４Ａにおける清掃シート５００の挿着方向に沿う縦方向長さの中央部が、突起軸部４０４Ｂよりも、取付プレート４０１の先端側にずらした位置に設けられ、結果として、シート保持用突起４０４は突起軸部４０４Ｂに対するシート挿入側をえぐり、清掃シート５００の係止孔５０４を挿入し易くしている。
【００２６】
そして、シート保持用突起４０４は、清掃シート５００の係止孔５０４が通過する頭部４０４Ａの最大周長を、係止孔５０４の周長と同等程度以下にする。即ち、図６、図７において、シート保持用突起４０４の縦方向長さをＡ、突起軸部４０４Ｂのシート挿入側外周面を通る突起４０４の最大周長をＬ、係止孔５０４の縦方向長さをａ、周長をｌとするとき、ｌ×γ＞Ｌ（γはベース不織布５０１Ａの伸び補正係数）とすることにより、清掃シート５００の係止孔５０４をシート保持用突起４０４に挿入し易くし、ａ≪Ａとすることにより清掃シート５００の係止孔５０４をシート保持用突起４０４から外れにくくしている
【００２７】
清掃ヘッド４００の取付プレート４０１に設けた滑り止め部４０５は、図８〜図１１に示す如く、狭幅部４０１Ｂの下面に設けた突部集合体４０６であり、各突部４０７は例えば短円柱状をなして狭幅部４０１Ｂの下面から立ち上がる側面４０７Ａと該側面４０７Ａに交差する天面４０７Ｂ（図１０、図１１）からなり、側面４０７Ａは円柱外周面の如くに滑らかで角なく形成され、側面４０７Ａと天面４０７Ｂの交差部が角状に形成される。滑り止め部４０５の各突部４０７は、狭幅部４０１Ｂの下面に一体又は別体にして設けられる高摩擦材料（ゴム、起毛布等）からなることができる。
【００２８】
従って、清掃具１にあっては、清掃ヘッド４００に対する清掃シート５００の挿着範囲の中間部に狭幅の引掛部を形成する点シール５０３を設け、取付プレート４０１に挿着した清掃シート５００の点シール５０３を取付プレート４０１の段差状係止部４０１Ｃに引掛けた状態で、清掃シート５００の一端部の係止孔５０４を取付プレート４０１のシート保持用突起４０４に保持するとともに、清掃シート５００を滑り止め部４０５で滑り止めする。
【００２９】
本実施例によれば以下の作用効果を奏する。
(a)清掃具１において、シート保持用突起４０４が取付プレート４０１に突起軸部４０４Ｂを介してつながる頭部４０４Ａを有し、頭部４０４Ａは平面視で清掃シート５００の挿着方向に該清掃シート５００の係止孔５０４より長い縦長形状をなし、清掃シート５００の係止孔５０４が頭部４０４Ａを通過して突起軸部４０４Ｂに係止する。従って、清掃シート５００の挿着方向に長い縦長形状の頭部４０４Ａが、清掃シート５００の係止孔５０４を突起軸部４０４Ｂに向けてスムースにガイドする。また、平面視で清掃シート５００の挿着方向に長い縦長形状の頭部４０４Ａが、突起軸部４０４Ｂに係止した係止孔５０４を該係止孔５０４より長い範囲に渡って上から押さえて外れにくくする。
【００３０】
(b)シート保持用突起４０４が、頭部４０４Ａにおける清掃シート５００の挿着方向に沿う縦方向長さの中央部を突起軸部４０４Ｂよりも、取付プレート４０１の先端側にずらした。従って、突起軸部４０４Ｂから取付プレート４０１の先端側に張り出した頭部４０４Ａが突起軸部４０４Ｂに係止した清掃シート５００の係止孔５０４より先端側を確実に押さえて外れにくくする。
【００３１】
(c)シート保持用突起４０４が、頭部４０４Ａのシート挿入側下面に取付プレート４０１の先端側に向けて上向きをなすテーパ面４０４Ｃを設けてなるものとしたから、清掃シート５００の係止孔５０４を突起軸部４０４Ｂに向けてスムースにガイドできる。
【００３２】
(d)清掃シート５００の係止孔５０４が通過する頭部４０４Ａの最大周長Ｌを、該係止孔５０４の周長ｌと同程度以下にすることにより、頭部４０４Ａの各部のいずれにおいても清掃シート５００の係止孔５０４を突起軸部４０４Ｂに向けてスムースにガイドする。
【図面の簡単な説明】
【００３３】
【図１】図１は清掃具を示す斜視図である。
【図２】図２は清掃シートの挿着状態を示す斜視図である。
【図３】図３は清掃具のヘッドジョイントを示し、（Ａ）は全体図、（Ｂ）は拡大図である。
【図４】図４はヘッドジョイントの組立過程を示す斜視図である。
【図５】図５はヘッドジョイントの組立過程を示す断面図である。
【図６】図６は清掃シートのシート保持用突起を示す平面図である。
【図７】図７は清掃シートのシート保持用突起への挿入過程を示す断面図である。
【図８】図８は清掃ヘッドの取付プレートに設けた滑り止め部を示す裏面図である。
【図９】図９は取付プレートの滑り止め部を拡大して示す裏面図である。
【図１０】図１０は取付プレートの滑り止め部を拡大して示す断面図である。
【図１１】図１１は取付プレートの滑り止め部に対する清掃シートの引掛かり状態を示す模式図である。
【符号の説明】
【００３４】
１、１Ａ  清掃具
１１  柄（把持部）
４０１  取付プレート（取付部）
４０４  シート保持用突起
４０４Ａ  頭部
４０４Ｂ  突起軸部
４０４Ｃ  テーパ面
５００  清掃シート
５０４  係止孔
【図１】
2008272245.tif 000003
【図２】
2008272245.tif 000004
【図３】
2008272245.tif 000005
【図４】
2008272245.tif 000006
【図５】
2008272245.tif 000007
【図６】
2008272245.tif 000008
【図７】
2008272245.tif 000009
【図８】
2008272245.tif 000010
【図９】
2008272245.tif 000011
【図１０】
2008272245.tif 000012
【図１１】
2008272245.tif 000013